(57)【要約】【課題】  密着型イメージセンサ（ＣＩＳ）を具備する画像読取装置において、搬送路を形成する上ガイド部材を構成する各部材の製造誤差等により、ＣＩＳから原稿までの距離がそのＣＩＳ個体が有する焦点距離と一致しない場合に、ＣＩＳの位置を原稿搬送方向と直交する方向に調整する手段を提供する。【解決手段】  本画像読取装置１は、搬送路９の最下流部を形成する上ガイド部材本体３６の底部３４における原稿幅方向両端部に、上面にねじ孔４６が形成されてなる読取手段支持部４２が突設され、該読取手段支持部４２を受ける受け面３７ａを具備してなる受け部材４０が両端部に取り付けられたＣＩＳ１０が、各受け面３７ａを各読取手段支持部４２上に接離可能に載置して配置され、高さ調整ねじ４１が、読取手段支持部４２の上面から出没可能となるようにねじ孔４６に螺合されたものである。【選択図】  図１
2005167817.tif 000002
【特許請求の範囲】
【請求項１】
搬送路の最下流部を形成する上下一対のガイド部材のうち、上側に配置された上ガイド部材本体の底部における原稿幅方向両端部に、上面にねじ孔が形成されてなる読取手段支持部が突設され、
該読取手段支持部を受ける受け面を具備してなる受け部材が両端部に取り付けられ、搬送路を搬送される原稿の一方の面を読み取る密着型イメージセンサが、前記各受け面を前記各読取手段支持部上に接離可能に載置して配置され、
前記密着型イメージセンサの原稿からの高さ位置を調整する高さ調整ねじが、前記読取手段支持部の上面から出没可能となるように前記ねじ孔に螺合されたことを特徴とする画像読取装置。
【請求項２】
前記上ガイド部材本体は、前記搬送路の最下流部を露呈するように開閉可能に取り付けられたものであり、前記ねじ孔が前記上ガイド部材本体の底面まで達するよう形成され、前記高さ調整ねじが前記上ガイド部材本体の底面側から前記ねじ孔に螺合されたことを特徴とする請求項１に記載の画像読取装置。
【請求項３】
前記搬送路の最下流部が水平に形成されたことを特徴とする請求項１又は２に記載の画像読取装置。
【発明の詳細な説明】
【技術分野】
【０００１】
本発明は、原稿の一方の面を読み取る密着型イメージセンサを具備する画像読取装置に関し、特に、密着型イメージセンサの位置を、原稿搬送方向と直交する方向に調整可能な画像読取装置に関するものである。
【背景技術】
【０００２】
コピー機、ファックス機、スキャナ等では、密着型イメージセンサで原稿の一方の面の読み取りを行う画像読取装置を具備するものがある。図１０は、従来の画像読取装置における画像読取部の一例を示す概略縦断面図である（特許文献１参照）。図に示すように、画像読取部７０は、図示しない搬送路を搬送される原稿Ｐに密着して原稿画像を読み取る、所謂密着型イメージセンサ（Contact Image Sensor、以下「ＣＩＳ」という。）７１、及びＣＩＳ７１の側面に取り付けられ、支軸７２が突設されてなる保持ブラケット７３を備えてなる読取手段７４と、開口部７５を有する軸受部７６、この軸受部７６に連通する軸受溝７７が形成された左右一対の側面部７８、及びこれら側面部７８を連結する連結部７９で構成された取付ブラケット８０と、取付ブラケット８０の連結部７９に取り付けられた板ばね８１と、回転支軸８２の両端に軸受８３が取り付けられてなるプラテンローラ８４とを具備してなるものである。画像読取部７０の組み立てに際しては、まず、保持ブラケット７３の支軸７２を軸受部７６の開口部７５から軸受溝７７へと挿入することにより読取手段７４を取付ブラケット８０に支持する。次に、軸受８３を軸受部７６に嵌合させることにより、プラテンローラ８４を取付ブラケット８０に回転自在に支持する。このように、読取手段７４とプラテンローラ８４を支持してユニット化した取付ブラケット８０の側面部７８を、前記コピー機等の内部の図示しないフレーム対して、ねじ締結等により固定してする。
【０００３】
以上のように構成される画像読取部７０では、軸受部７６に嵌合した軸受８３が、上下左右の動きが規制されて軸受部７６に固定されているので、ＣＩＳ７１は、プラテンローラ８４と板ばね８１とで挟持されるようにして保持される。従って、図示しない搬送路を搬送される原稿Ｐは、プラテンローラ８４によってＣＩＳ７１に密着される。この時、ＣＩＳ７１から原稿Ｐまでの距離が、ＣＩＳ７１の焦点距離と等しくなっており、ＣＩＳ７１による良好な画像読み取りが可能となっている。
【０００４】
【特許文献１】特開平５−２３６１９９号公報
【発明の開示】
【発明が解決しようとする課題】
【０００５】
しかし、画像読取部７０を構成する各部材の製造誤差の累積、及び組み立て誤差等により、また、ＣＩＳ７１各個体間における焦点距離にばらつきにより、ＣＩＳ７１から原稿Ｐまでの距離が、そのＣＩＳ７１個体が有する焦点距離と一致せず、読取精度が劣化して画像不具合が発生する場合がある。しかし、従来の画像読取装置では、ＣＩＳ７１の原稿搬送方向と直交する方向の位置を調整する手段がないために、前記画像不具合の問題を解消することができない、という問題がある。
【０００６】
本発明は、このような問題に鑑みてなされたものであり、原稿の一方の面を読み取るＣＩＳを具備する画像読取装置において、上ガイド部材を構成する各部材の製造誤差の累積及び組み立て誤差等により、また、ＣＩＳ個体間における焦点距離のばらつきにより、ＣＩＳから原稿までの距離がそのＣＩＳ個体が有する焦点距離と一致せず、画像不具合が発生する場合に、ＣＩＳの位置を、原稿搬送方向と直交する方向に調整することができる手段を提供する。
【課題を解決するための手段】
【０００７】
上記目的を達成するための請求項１の発明は、搬送路の最下流部を形成する上下一対のガイド部材のうち、上側に配置された上ガイド部材本体の底部における原稿幅方向両端部に、上面にねじ孔が形成されてなる読取手段支持部が突設され、該読取手段支持部を受ける受け面を具備してなる受け部材が両端部に取り付けられ、搬送路を搬送される原稿の一方の面を読み取る密着型イメージセンサが、前記各受け面を前記各読取手段支持部上に接離可能に載置して配置され、前記密着型イメージセンサの原稿からの高さ位置を調整する高さ調整ねじが、前記読取手段支持部の上面から出没可能となるように前記ねじ孔に螺合されたものである。
【０００８】
請求項２の発明は、前記上ガイド部材本体は、前記搬送路の最下流部を露呈するように開閉可能に取り付けられたものであり、前記ねじ孔が前記上ガイド部材本体の底面まで達するよう形成され、前記高さ調整ねじが前記上ガイド部材本体の底面側から前記ねじ孔に螺合されたものである。
【０００９】
請求項３の発明は、前記搬送路の最下流部が水平に形成されたものである。
【発明の効果】
【００１０】
本発明に係る画像読取装置によれば、搬送路の最下流部を形成する上下一対のガイド部材のうち、上側に配置された上ガイド部材本体の底部における原稿幅方向両端部に、上面にねじ孔が形成されてなる読取手段支持部が突設され、該読取手段支持部を受ける受け面を具備してなる受け部材が両端部に取り付けられ、搬送路を搬送される原稿の一方の面を読み取るＣＩＳが、各受け面を各読取手段支持部上に接離可能に載置して配置され、ＣＩＳの原稿からの高さ位置を調整する高さ調整ねじが、読取手段支持部の上面から出没可能となるようにねじ孔に螺合されたものなので、高さ調整ねじを進める方向へ回すことで、高さ調整ねじの先端が読取手段支持部の上面から突出して前記受け面を押し上げ、ＣＩＳの一端部が持ち上げられるので、ＣＩＳの位置を、原稿搬送方向と直交する方向に調整することができる。これにより、上ガイド部材を構成する各部材の製造誤差の累積及び組立て誤差等により、また、ＣＩＳ各個体間における焦点距離のばらつきにより、ＣＩＳから原稿までの距離がそのＣＩＳ個体が有する焦点距離と一致せず、読取精度が劣化して画像不具合が生じる場合に、ＣＩＳの位置を原稿搬送方向と直交する方向に調整して、ＣＩＳから原稿までの距離をそのＣＩＳの焦点距離に合わせることで、良好な画像読み取りを行うことが可能となる。
【００１１】
また、本発明によれば、上ガイド部材本体は、搬送路の最下流部を露呈するように開閉可能に取り付けられたものであり、ねじ孔が上ガイド部材本体の底面まで達するよう形成され、高さ調整ねじが上ガイド部材本体の底面側からねじ孔に螺合されたものなので、ＣＩＳの位置を原稿搬送方向と直交する方向に調整したい場合に、上フレームを開き、中間第２フレームを固定軸を支点として略９０度回動させることにより、上ガイド部材本体の底面側から、ドライバ等を用いて高さ調整ねじを回すことができる。これにより、中間フレームを画像読取装置から取り外して分解することなく、ＣＩＳの位置を容易に調整することが可能となる。
【００１２】
また、本発明によれば、搬送路の最下流部が水平に形成されたものなので、読取手段支持部上に載置された受け部材がその自重により原稿搬送方向にずれることがなく、良好な画像読み取りを行うことが可能となる。また、ＣＩＳを下方に付勢して、受け部材の水平部を読取手段支持部に押圧する付勢ばねを省略することが可能となる。
【発明を実施するための最良の形態】
【００１３】
搬送路を搬送される原稿の一方の面を読み取る密着型イメージセンサを具備する画像読取装置において、上ガイド部材を構成する各部材の製造誤差の累積及び組み立て誤差等により、また、密着型イメージセンサ個体間における焦点距離のばらつきにより、密着型イメージセンサから原稿までの距離が焦点距離に一致せず画像不具合が発生する、という問題を防止するという目的を、最小の部品点数で、且つ安価なコストで実現した。
【実施例】
【００１４】
以下、本発明の実施例に係る画像読取装置について図面に基づいて説明する。図１は、本画像読取装置１の構成を示す概略縦断面図である。画像読取装置１は、本体フレーム２に設けられたＦＢＳ３と、原稿押圧板４に設けられたＡＤＦ５とから構成されている。ＦＢＳ３は、図に詳細は示さないが、厚みのある原稿Ｐ等を読み取る場合に用いられるものであり、本体フレーム２のプラテンガラス６上に載置された原稿Ｐの表面の画像が、移動式の読取手段７により読み取られるものとなっている。一方、ＡＤＦ５は、シート状の原稿Ｐを読み取る場合に用いられるものであり、給紙トレイ８にセットされた原稿Ｐが最上紙Ｐｔから１枚ずつ分離されて搬送路９へと送られ、この原稿Ｐの表面の画像が読取手段７により読み取られ、裏面の画像が密着型イメージセンサ（ＣＩＳ）１０により読み取られ、排紙トレイ１１へと排出される構成となっている。尚、画像読取装置１において、読取手段７は任意の構成であり、ＣＩＳ１０で原稿Ｐの一方の面のみを読み取る構成とすることも可能である。
【００１５】
ＡＤＦ５は、図１に示すように、読み取るべき原稿Ｐの束が載置される給紙トレイ８と、この原稿Ｐの束から最上紙Ｐｔを取り出して給紙口から搬送路９へ繰り込むピックアップローラ１２、セパレートローラ１３、及び分離パッド１４と、給紙トレイ８と排紙トレイ１１とを連通する横Ｕ字形状の搬送路９と、フィードローラ１５及びプレスローラ１６で構成され、搬送路９に適宜配設されて原稿Ｐを下流へ搬送する搬送ローラ１７と、プレスローラ１６をフィードローラ１５に圧接する押圧バネ１８と、押圧バネ１８が嵌着されてなる押圧バネ取付部材１９と、搬送路９の最下位置に配置された読取手段７と、読取手段７の下流側に配置されたＣＩＳ１０と、ＣＩＳ１０の直下に配置された読取ガラス２０に回転自在に圧接され、原稿Ｐを読取ガラス２０に密着させるプラテンローラ２１と、搬送路９の最下流端に配置された排出ローラ２２と、この排出ローラ２２に圧接された押圧ローラ２３と、排出口から排出された原稿Ｐを受ける排紙トレイ１１と、排出された原稿Ｐの後端部を、排出ローラ２２の周面から排紙トレイ１１へと案内する落下補助リブ２４と、原稿Ｐの排出完了を検出するリードセンサ２５と、を具備してなるものである。本実施例では、図に示すように、ＡＤＦ５が、上フレーム２６、中間第１フレーム２７、中間第２フレーム２８、及び下フレーム２９により構成され、この各フレームに前記各部材が取り付けられている。
【００１６】
読取手段７は、本体フレーム２上のプラテンガラス６を通して、搬送路９を搬送される原稿Ｐに光を照射する光源Ｓと、原稿Ｐからの反射光を所定の方向へ導くための反射ミラーＭと、該反射光を収束させるレンズＬと、収束光を電気信号に変換する電荷結合素子（Charge Coupled Device、以下「ＣＣＤ」という。）Ｑとを備えてなる所謂ＣＣＤイメージセンサであり、図に示すように、搬送路９の下方において水平方向に移動可能に配設された移動式の画像読取手段である。
【００１７】
即ち、読取手段７は、ＦＢＳ３及びＡＤＦ５双方の読取手段として用いられるものであり、ＦＢＳ３により原稿Ｐを読み取る際には、プラテンガラス６の下方で水平方向に移動して原稿Ｐを読み取り、ＡＤＦ５により原稿Ｐを読み取る際には読取位置Ｘへ移動するものとなっている。このようにして、搬送路９を搬送されて読取位置Ｘの直上を通過する原稿Ｐの画像を順次読み取るものとなっている。
【００１８】
搬送路９は、図１に示すように、給紙トレイ８と排紙トレイ１１とを連通する略Ｕ字型の搬送経路であり、上フレーム２６、中間第１フレーム２７、中間第２フレーム２８、及び下フレーム２９が所定の間隔をおいて互いに向かい合うことにより形成されている。特に、搬送路９の最下流部は、中間第２フレーム２８と、この中間第２フレーム２８の下方に配置された下フレーム２９によって略水平となるように形成されており、原稿Ｐを排出口から水平方向に排出させているが、これに限られず、搬送路９の最下流部を斜め上方へ傾斜させ、原稿Ｐを排出口から斜め上方へ向って排出させることも可能である。また、中間第２フレーム２８は、その上端部が、画像読取装置１の図示しないフレームに両端部が固定された固定軸３０に対して開閉可能に取り付けられている。これにより、画像読取装置１の内部において紙詰まりが発生した時に、図９に示すように、上フレーム２６をヒンジ３１を支点として上方へ開いた上で、中間第２フレーム２８を固定軸３０を支点として上方へ回動させることにより、搬送路９の最下流部を露呈させ、搬送路９に詰まった原稿Ｐを取り出すことができるものとなっている。
【００１９】
中間第２フレーム２８は、図１に示すように、搬送路９の最下流部の上側を形成する上ガイド部材３２と、この上ガイド部材３２の上部を覆うように取り付けられた蓋部材３３とを具備してなるものである。上ガイド部材３２には、その原稿搬送方向両端部に係合爪３４が設けられており、この係合爪３４を、蓋部材３３に形成された係合溝３５に係合させることで上ガイド部材３２の上部に蓋部材３３を取り付ける。ここで、係合溝３５の上下幅は、係合爪３４の厚みより若干大きく形成され、係合爪３４を係合溝３５に係合させた時に、係合爪３４と係合溝３５の間には上下方向に若干の遊びが生じるものとなっている。これにより、上ガイド部材３２と上蓋部材３３は、この遊び分だけ互いに上下動自在となっている。更に、図に示すように、上ガイド部材３２には、付勢バネ３６の一端部が取り付けられ、この付勢バネ３６の他端部が蓋部材３３に取り付けられており、蓋部材３３は、上フレーム２６の内側面に下方に向って突設された図示しない突片が当接することで上方向への移動が規制されているので、上ガイド部材３２が付勢バネ３６によって下方に付勢されている。
【００２０】
図２乃至図５は、上ガイド部材３２の構成を示す図であり、図２は概略斜視図、図３は概略底面図、図４は図２におけるＡ−Ａ断面を示す図、図５はＣＩＳ１０の上ガイド部材本体への取り付け構造を示す分解斜視図である。図２乃至図５に示すように、上ガイド部材３２は、底部３７を貫通して形成されたガラス取付孔３８に読取ガラス２０が嵌合されてなる上ガイド部材本体３９に、水平部４０、垂直部４１、及び取付部４２を具備してなる位置決め部材４３が両端部に取り付けられたＣＩＳ１０と、このＣＩＳ１０の位置を原稿搬送方向と直交する方向に調整する高さ調整ねじ４４と、前記排出ローラ２２に圧接される押圧ローラ２３とが取り付けられてなるものである。
【００２１】
上ガイド部材本体３９は、図２に示すように、上部が開口された略箱型の形状を有する樹脂等からなる部材である。この上ガイド部材本体３９は、図２及び図５に示すように、その底部３７における原稿幅方向両端部に突設された読取手段支持部４５と、この読取手段支持部４５の原稿幅方向内側に形成された挿通穴４６と、この挿通穴４６の原稿幅方向内側に突設され、前記付勢バネ３６が取り付けられる付勢バネ取付部４７と、原稿搬送方向両端部に設けられた係合爪３４とを具備してなるものである。
【００２２】
読取手段支持部４５は、図４及び図５に示すように、ＣＩＳ１０の両端部を下方から支持するためのものであり、上ガイド部材本体３９の原稿幅方向両端部に、その底部３７から上方へ突出してそれぞれ設けられている。この読取手段支持部４５は、円筒形状を有し、その上面は、ＣＩＳ１０の両端部を安定して載置できるよう、平坦な面として形成されている。また、読取手段支持部４５には、その上面から上ガイド部材本体３９の底面３９ａまで達するねじ孔４８が形成されている。尚、読取手段支持部４５の形状は、円筒形状に限られず、例えば、角柱形状であってもよく、ＣＩＳ１０の両端部を下方から支持できるよう所定の高さ寸法を有し、ねじ孔４８が形成されていれば、適宜設計変更が可能である。
【００２３】
挿通穴４６は、ＣＩＳ１０の両端部に取り付けられた位置決め部材４３の垂直部４１が挿通されるものであり、図４及び図５に示すように、読取手段支持部４５の原稿幅方向内側に、底部３７を貫通するように形成されている。この挿通穴４６は、横断面が略矩形であり、その原稿搬送方向寸法は、位置決め部材４３の垂直部４１の原稿搬送方向寸法より大きく形成され、また、原稿幅方向寸法は、垂直部４１の原稿幅方向寸法と略等しいか若干大き目に形成されている。これにより、垂直部４１が挿通穴４６に挿通された状態において、ＣＩＳ１０は、原稿搬送方向にも上下方向にも移動自在となっている。
【００２４】
図６は、ＣＩＳ１０の構成を示す分解斜視図である。図に示すように、ＣＩＳ１０は、ＣＩＳ本体４９と、このＣＩＳ本体４９の長手方向両端部に取り付けられた左右一対の位置決め部材４３とを具備してなるものである。ＣＩＳ本体４９は、図に詳細は示さないが、その直下に配置された読取ガラス２０に密着された原稿Ｐに光源から光を照射し、その反射光を収束性ファイバで光導電素子上に収束して読み取る固定式の読取手段である。このＣＩＳ本体４９が精度良く画像読み取りを行うためには、ＣＩＳ本体４９から原稿Ｐまでの距離が、そのＣＩＳ本体４９の焦点距離と一致している必要がある。また、ＣＩＳ本体４９の両端部には、位置決め部材４３を取り付けるための貫通孔５０が形成されている。尚、本実施例では、ＣＩＳ本体４９と位置決め部材４３を別部材として構成したが、もちろん両者を一体化して形成することも可能である。
【００２５】
位置決め部材（受け部材）４３は、搬送路９を搬送される原稿Ｐに対して、ＣＩＳ１０の原稿搬送方向の位置、及び原稿搬送方向と直交する方向の位置、本実施例では原稿Ｐからの高さ位置を位置決めするものである。図７及び図８は、位置決め部材４３の構成を示す図であり、図７は概略斜視図、図８は概略底面図である。図に示すように、位置決め部材４３は、ＣＩＳ１０の原稿Ｐからの高さ位置の位置決めを行う水平部４０と、原稿搬送方向の位置決めを行う垂直部４１と、ＣＩＳ本体４９に取り付けるための取付部４２とを備えてなるものである。
【００２６】
水平部４０は、図７及び図８に示すように、平板状の部材であり、その裏面が、前記読取手段支持部４５を受ける面である受け面４０ａとなっている。本実施例では、受け面４０ａを平坦な面として形成し、また、読取手段支持部４５の上面を平坦な面として形成したことにより、ＣＩＳ１０の両端部を読取手段支持部４５上に安定して載置することが可能となっている。
【００２７】
垂直部４１は、図７及び図８に示すように、水平部４０の一端部から該水平部４０と略直交して下方へ延び、その下端部に、下方に向って開口したＵ字形状の溝であるＵ字溝４１ａが形成されている。このＵ字溝４１ａの形状は、図４に示すように、プラテンローラ２１のローラ軸２１ａと嵌合する形状であれば、Ｕ字形状に限定されず、例えば凹型の溝とすることも可能である。但し、Ｕ字溝４１ａの原稿搬送方向幅は、ローラ軸２１ａと嵌合した状態で垂直部４１が原稿搬送方向に位置ずれしないよう、ローラ軸２１ａの外径と略等しくするのが好適である。これにより、ＣＩＳ１０は、原稿Ｐに対する原稿搬送方向の位置が確実に位置決めされ、良好な画像読み取りを行うことができる。
【００２８】
取付部４２は、図７に示すように、水平部４０の上部に突設された略円筒形状を有するものであり、その上端部は小径に形成されている。また、取付部４２には、その上端部側からねじ孔５１が形成されている。この取付部４２の上端部を、図６に示すように、ＣＩＳ本体４９の貫通孔５０に嵌合させ、ねじ５２をねじ孔５１に螺合させることにより、位置決め部材４３をＣＩＳ本体４９の両端部にそれぞれ固定している。
【００２９】
以上のように構成されたＣＩＳ１０は、図５に示すように、その両端部に取り付けられた各位置決め部材４３の垂直部４１を挿通穴４６に挿通させ、水平部４０の受け面４０ａを読取手段支持部４５上に接離可能に載置することで配置されており、原稿搬送方向にも上下方向にも移動自在となっている。尚、本発明において接離可能とは、受け面４０ａと読取手段支持部４５とが接合された状態にあり、受け面４０ａに力を加えることで両者を離間させることが可能な構成をいう。また、図１に示すように、ＣＩＳ１０の上面には付勢バネ５３の一端部が固定され、この付勢バネ５３の他端部が蓋部材３３に固定されており、蓋部材３３は、上フレーム２６の内側面に下方に向って突設された図示しない突片が当接することで上方向への移動が規制されているので、ＣＩＳ１０が付勢ばね５３によって下方に付勢され、受け面４０ａが読取手段支持部４５に圧接されている。従って、搬送路９の最下流部を上方に傾斜して形成した場合でも、ＣＩＳ１０が、その自重により原稿搬送方向に位置ずれせずに、良好な画像読み取り行うことが可能となっている。しかし、本実施例では、搬送路９の最下流部が水平に形成されており、読取手段支持部４５上に載置されたＣＩＳ１０がその自重により原稿搬送方向に位置ずれすることがないので、付勢ばね５３を省略することも可能である。
【００３０】
ここで、図４（ａ）は、ＣＩＳ１０を上ガイド部材本体３９に取り付けた状態における図２のＡ−Ａ断面図であるが、図に示すように、上ガイド部材本体３９は、付勢バネ３６で下方へ付勢されており、その底部３７に配置された読取ガラス２０が、プラテンローラ２１に対して圧接されている。これにより、搬送路９を搬送される原稿Ｐは、プラテンローラ２１によって読取ガラス２０に密着されるものとなっている。一方、ＣＩＳ１０は、その両端部が読取手段支持部４５上に載置され、その自重により、また、付勢バネ５３から受ける付勢力により読取手段支持部４５に対して押圧されている。この時、ＣＩＳ本体４９から、読取ガラス２０に密着された原稿Ｐまでの距離Ｄ１が、ＣＩＳ本体４９の前記焦点距離と等しくなっており、ＣＩＳ本体４９による良好な画像読み取りが可能となっている。
【００３１】
高さ調整ねじ４４は、ＣＩＳ１０の原稿Ｐからの高さ位置を調整して、ＣＩＳ本体４９の焦点距離に一致させるためのものであり、読取手段支持部４５の上面から出没可能となるようにねじ孔４８に螺合されている。本実施例では、図４及び図５に示すように、ねじ孔４８が、読取手段支持部４５の上面から上ガイド部材本体３９の底面３９ａまで達するように形成され、このねじ孔４８より長尺のねじ部４４ａを有する高さ調整ねじ４４が、上ガイド部材本体３９の底面３９ａ側からねじ孔４８に螺合されている。この高さ調整ねじ４４の先端は、図４（ａ）に示すように、読取手段支持部４５の上面と略面一となっており、ＣＩＳ１０を読取手段支持部４５上に載置した時に、高さ調整ねじ４４の先端が受け面４０ａに当接するものとなっている。これにより、高さ調整ねじ４４を進める方向に回し、図４（ｂ）に示すように、その先端を読取手段支持部４５の上面から突出させて受け面４０ａを持ち上げることで、ＣＩＳ１０を原稿Ｐから遠ざけることができ、ＣＩＳ１０を原稿Ｐから遠ざけ過ぎた場合には、高さ調整ねじ４４を後退させる方向に回して、ＣＩＳ１０を原稿Ｐに近づけることが可能となっている。従って、上ガイド部材３２を構成する各部材の製造誤差の累積、及び組み立て誤差等により、また、ＣＩＳ１０の各個体間における焦点距離のばらつきにより、ＣＩＳ本体４９から原稿Ｐまでの距離が、そのＣＩＳ本体４９が有する焦点距離に一致せず画像不具合が発生する場合に、ＣＩＳ１０の両端部について、原稿Ｐからの高さ位置を高さ調整ねじ４４でそれぞれ調整し、ＣＩＳ本体４９から原稿Ｐまでの距離Ｄ２をＣＩＳ本体４９の焦点距離と合わせることにより、ＣＩＳ１０による良好な画像読み取りを行なうことが可能となっている。尚、高さ調整ねじ４４は、ねじ孔４８より長尺のねじ部４４ａを有するものに限られず、例えば、図に詳細は示さないが、所謂止めねじのように、頭部がなく全長に渡ってねじ部を有するものをねじ孔に埋没させるように螺合させることも可能である。
【００３２】
また、本実施例では、高さ調整ねじ４４を上ガイド部材本体３９の底面３９ａ側からねじ孔４８に螺合させたので、ＣＩＳ１０の原稿Ｐからの高さ位置を調整したい場合には、図９に示すように、上フレーム２６を開いて、中間第２フレーム２８を固定軸３０を支点として回動させることで、上ガイド部材本体３９の底面３９ａ側から図示しないドライバ等を用いて前記高さ調整ねじ４４を回すことが可能となっている。従って、中間第２フレーム２８を画像読取装置１から取り外して分解することなく、ＣＩＳ１０の位置を容易に調整することができるので、調整作業に要する手間と時間を削減することができる、という利点がある。
【００３３】
押圧ローラ２３は、図２及び図３に示すように、両端部が上ガイド部材本体３９に回転自在に支持されたローラ軸２３ａと、このローラ軸２３ａの軸方向に所定の間隔で設けられ、上ガイド部材本体３９の底部３７を貫通して形成された角穴５４から一部を突出させるように設けられたローラ本体２３ｂとを具備してなるものである。この押圧ローラ２３の各ローラ本体２３ｂ間には、図１に示すように、ローラ軸２３ａを下方に付勢するようにしてコイルスプリング５５が配設されており、このコイルスプリング５５の他端は上蓋部材３３に取り付けられている。従って、押圧ローラ２３は、そのローラ本体２３ｂが排出ローラ２２に圧接され、排出ローラ２２の回転に従動して回転するものとなっている。これにより、搬送路９を搬送される原稿Ｐは、その先端部が排出ローラ２２と押圧ローラ２３によってニップされ、下流側へと搬送されるものとなっている。
【００３４】
本画像読取装置１では、ＣＩＳ１０による良好な画像読み取りを行なうために、原稿Ｐが読取ガラス２０と接触する位置の直上、すなわち、プラテンローラ２１と読取ガラス２０が接触する位置の直上にＣＩＳ本体４９の図示しない読取領域が配置されていることが必要である。従って、本画像読取装置１では、図５に示すように、ＣＩＳ本体４９の両端部に、Ｕ字溝４１ａが形成された垂直部４１を有する位置決め部材４３を取り付け、この垂直部４１を挿通穴４６に挿通させることで、ＣＩＳ１０を上ガイド部材本体３９に対して原稿搬送方向に移動自在としている。これにより、ＣＩＳ１０は、前記中間第２フレーム２８を画像読取装置１に取り付ける際等に、Ｕ字溝４１ａをプラテンローラ２１のローラ軸２１ａに嵌合させるように移動して、前記接触位置の直上に位置決めされるので、ＣＩＳ１０による良好な画像読み取りを行うことが可能となっている。
【産業上の利用可能性】
【００３５】
本発明は、移動式の読取手段と密着型イメージセンサで原稿の両面を読み取る構成のみならず、密着型イメージセンサで原稿の片面のみを読み取る構成とすることも可能である。
【図面の簡単な説明】
【００３６】
【図１】本発明の実施例に係る画像読取装置１の構成を示す概略縦断面図
【図２】上ガイド部材３２の構成を示す概略斜視図。
【図３】上ガイド部材３２の構成を示す概略底面図。
【図４】図２におけるＡ−Ａ断面を示す図。
【図５】ＣＩＳ１０の取り付け構造を示す分解斜視図。
【図６】ＣＩＳ１０の構成を示す分解斜視図。
【図７】位置決め部材（受け部材）４３の構成を示す概略斜視図。
【図８】位置決め部材（受け部材）４３の構成を示す概略底面図。
【図９】画像読取装置１の上フレーム２６、及び中間第２フレーム２８を開けた状態を示す概略縦断面図。
【図１０】従来例に係る画像読取装置における画像読取部７０を示す概略縦断面図。
【符号の説明】
【００３７】
１    画像読取装置
９    搬送路
１０    密着型イメージセンサ（ＣＩＳ）
３７    底部（上ガイド部材本体）
３９    上ガイド部材本体
３９ａ    底面（上ガイド部材本体）
４０ａ    受け面
４３    受け部材（位置決め部材）
４４    高さ調整ねじ
４４ａ    ねじ部
４５    読取手段支持部
４８    ねじ孔
Ｐ    原稿
【図１】
2005167817.tif 000003
【図２】
2005167817.tif 000004
【図３】
2005167817.tif 000005
【図４】
2005167817.tif 000006
【図５】
2005167817.tif 000007
【図６】
2005167817.tif 000008
【図７】
2005167817.tif 000009
【図８】
2005167817.tif 000010
【図９】
2005167817.tif 000011
【図１０】
2005167817.tif 000012